(57)【要約】【課題】流体制御機器等の複数の部品によって構成される半導体製造装置において、管理者が各部品を直感的に識別できるようにする。また、識別された部品の情報を管理者に対して分かりやすく提供する。【解決手段】管理者端末３と情報処理装置２とがネットワークＮＷ１、２を介して通信可能に構成されたシステムにおいて、管理者端末３は情報処理装置２から半導体製造装置１の部品情報を受信する。特定処理部３２により、半導体製造装置１の撮影画像について、半導体製造装置１を構成する部品の位置を特定すると、合成処理部３３により、撮影画像に対し、特定された部品の位置に部品情報を合成させた合成画像を生成し、画像表示部３４によって合成画像を表示する。一方、情報処理装置２は、部品情報記憶部２Ａを参照して、抽出処理部２１により部品情報を抽出し、管理者端末３に対して部品情報を送信する。【選択図】図１
2018221198.tif 000002
【特許請求の範囲】
【請求項１】
集積された複数の部品によって構成された半導体製造装置を管理するシステムであって、
前記半導体製造装置を管理する管理者が使用する管理者端末と、前記半導体製造装置の部品情報を保持する情報処理装置と、がネットワークを介して通信可能に構成され、
前記管理者端末は、
前記半導体製造装置を撮影する撮影手段と、
前記情報処理装置から、前記半導体製造装置の部品情報を受信する部品情報受信手段と、
前記半導体製造装置の撮影画像について、前記半導体製造装置を構成する部品の位置を特定する特定処理手段と、
前記半導体製造装置の撮影画像に対し、前記特定された部品の位置に、前記特定された部品の部品情報を合成させた合成画像を生成する合成処理手段と、
前記合成画像を表示する画像表示手段と、を有し、
前記情報処理装置は、
前記半導体製造装置を構成する部品の部品情報を記憶する部品情報記憶手段と、
前記部品情報記憶手段を参照して、前記部品情報を抽出する抽出処理手段と、
前記管理者端末に対し、前記部品情報を送信する部品情報送信手段と、を有する、
半導体製造装置の管理システム。
【請求項２】
前記半導体製造装置には、所定の箇所にマーカーが取り付けられており、
前記特定処理手段は、前記半導体製造装置の撮影画像について、前記マーカーの取付箇所を基準とした各部品の相対座標に基づき、前記半導体製造装置を構成する部品の位置を特定し、
前記部品情報記憶手段は、部品情報としてさらに、前記マーカーの取付箇所を基準とした各部品の相対座標に係る情報を記憶する、
請求項１記載の半導体製造装置の管理システム。
【請求項３】
前記半導体製造装置には、４つ以上の部品に所定の識別標識が取り付けられており、
前記特定処理手段は、前記半導体製造装置の撮影画像について、前記識別標識の取付箇所を基準とした各部品の相対座標に基づいて、前記半導体製造装置を構成する部品の位置を特定し、
前記部品情報記憶手段は、部品情報としてさらに、前記識別標識の取付箇所を基準とした各部品の相対座標に係る情報を記憶する、
請求項１記載の半導体製造装置の管理システム。
【請求項４】
前記半導体製造装置と、ネットワークを介して通信可能に構成され、
前記半導体製造装置は、
前記情報処理装置に対し、各部品の動作状況をセンシングして得られたセンシング情報を送信するセンシング情報送信手段、を有し、
前記情報処理装置は、
前記半導体製造装置から、前記センシング情報を受信するセンシング情報受信手段と、
前記部品情報記憶手段を参照して、前記センシング情報を前記部品情報として登録する第一の登録手段と、をさらに有する、
請求項１乃至３いずれかの項に記載の半導体製造装置の管理システム。
【請求項５】
前記管理者端末は、
前記管理者から、前記合成画像において、所定の部品を指定した追加情報の入力を受け付ける入力手段と、
前記情報処理装置に対し、前記所定の部品の指定と共に入力された追加情報を送信する追加情報送信手段と、をさらに有し、
前記情報処理装置は、
前記部品情報記憶手段を参照して、前記追加情報を前記部品情報として登録する第二の登録手段と、をさらに有する、
請求項１乃至４いずれかの項に記載の半導体製造装置の管理システム。
【請求項６】
前記管理者端末は、
前記管理者端末の移動に応じて移動量を検出し、当該移動量に応じて前記合成画像を制御する画像制御手段、をさらに有する、
請求項１乃至５いずれかの項に記載の半導体製造装置の管理システム。
【請求項７】
前記管理者端末は、
前記合成画像に基づいた前記管理者による作業を録画する録画手段、をさらに有する、
請求項１乃至６いずれかの項に記載の半導体製造装置の管理システム。
【請求項８】
集積された複数の部品によって構成された半導体製造装置を管理する方法であって、
前記半導体製造装置を管理する管理者が使用する管理者端末と、前記半導体製造装置を構成する部品の部品情報を記憶する部品情報記憶手段を備えた情報処理装置と、がネットワークを介して通信可能に構成されたシステムにおいて、
前記管理者端末が、
前記半導体製造装置を撮影する撮影処理と、
前記情報処理装置から、前記半導体製造装置の部品情報を受信する部品情報受信処理と、
前記半導体製造装置の撮影画像について、前記半導体製造装置を構成する部品の位置を特定する特定処理と、
前記半導体製造装置の撮影画像に対し、前記特定された部品の位置に、前記特定された部品の部品情報を合成させた合成画像を生成する合成処理と、
前記合成画像を表示する画像表示処理と、を実行し、
前記情報処理装置が、
前記部品情報記憶手段を参照して、前記部品情報を抽出する抽出処理と、
前記管理者端末に対し、前記部品情報を送信する部品情報送信処理と、を実行する、
半導体製造装置の管理方法。
【請求項９】
集積された複数の部品によって構成された半導体製造装置を管理するためのコンピュータプログラムであって、
前記半導体製造装置を管理する管理者が使用する管理者端末と、前記半導体製造装置を構成する部品の部品情報を記憶する部品情報記憶手段を備えた情報処理装置と、がネットワークを介して通信可能に構成されたシステムにおいて、
前記管理者端末に対し、
前記半導体製造装置を撮影する撮影処理と、
前記情報処理装置から、前記半導体製造装置の部品情報を受信する部品情報受信処理と、
前記半導体製造装置の撮影画像について、前記半導体製造装置を構成する部品の位置を特定する特定処理と、
前記半導体製造装置の撮影画像に対し、前記特定された部品の位置に、前記特定された部品の部品情報を合成させた合成画像を生成する合成処理と、
前記合成画像を表示する画像表示処理と、を実行させ、
前記情報処理装置に対し、
前記部品情報記憶手段を参照して、前記部品情報を抽出する抽出処理と、
前記管理者端末に対し、前記部品情報を送信する部品情報送信処理と、を実行させる、
コンピュータプログラム。
【発明の詳細な説明】
【技術分野】
【０００１】
本発明は、半導体製造装置を構成する部品を個別に判別して管理する技術に関する。
【背景技術】
【０００２】
半導体製造装置に用いられるガスボックスは、同一又は略同一構成の流体制御機器からなる多数のガスラインが集積されて並んで取り付けられた構造をしている。メンテナンスのためにこのガスボックスを手動操作したり流体制御機器の交換をしたりする際には、流路構成を示した図と照らし合わせながら、流体制御機器が多数並んでいる中で、本当に正しい場所の機器に対して作業しているのかどうかを注意深くチェックする必要があった。
また、近年、バルブ等の流体制御機器にセンサを搭載して、それらの動作状況に関するデータを収集して寿命予測やメンテナンスの省力化を目指す開発が行われている。この手法により、どこの流体制御器に交換やメンテナンスが必要かという情報が得られるようになるが、先述と同様に、同一又は略同一構成の流体制御機器が並んでいるため、操作対象を間違えないよう入念な注意が必要であった。【０００３】
この点、特許文献１では、バルブを真横から端末のカメラにより撮影し、二次元バーコードによってバルブを識別しつつ、カメラに映ったハンドルがどの高さにあるかを認識させることで弁の開閉状態を自動識別する弁管理支援システムが提案されている。
また、特許文献２では、端末でバーコードを読んでバルブを識別し、バルブの操作指示を端末に表示するバルブ操作支援システムが提案されている。
【先行技術文献】
【特許文献】
【０００４】
【特許文献１】特開２００６−２５８１５１号公報
【特許文献２】特開２００３−３４３７６１号公報
【発明の概要】
【発明が解決しようとする課題】
【０００５】
特許文献１、２記載の技術はともに、画像処理によってバルブを識別する機能を有するが、多数のバルブを一つずつ確認しながら特定のバルブを探し出すことは面倒であるし、特定のバルブを探し出せたとしても、バルブが多数集積しているために、その後の作業中に特定のバルブを見失ったり見誤ったりするおそれもある。このようなことから、多数のバルブが並ぶ中で作業者に誤りなく作業対象の部品を指示するシステムが望まれていた。【０００６】
そこで本発明は、流体制御機器等の複数の部品によって構成される半導体製造装置において、管理者が各部品を直感的に識別できるようにすることを目的との一つとする。さらに、識別された部品の情報を管理者に対して分かりやすく提供することを目的の一つとする。
【課題を解決するための手段】
【０００７】
前記目的を達成するため、本発明の位置の観点に係る半導体製造装置の管理システムは、集積された複数の部品によって構成された半導体製造装置を管理するシステムであって、前記半導体製造装置を管理する管理者が使用する管理者端末と、前記半導体製造装置の部品情報を保持する情報処理装置と、がネットワークを介して通信可能に構成され、前記管理者端末は、前記半導体製造装置を撮影する撮影手段と、前記情報処理装置から、前記半導体製造装置の部品情報を受信する部品情報受信手段と、前記半導体製造装置の撮影画像について、前記半導体製造装置を構成する部品の位置を特定する特定処理手段と、前記半導体製造装置の撮影画像に対し、前記特定された部品の位置に、前記特定された部品の部品情報を合成させた合成画像を生成する合成処理手段と、前記合成画像を表示する画像表示手段と、を有し、前記情報処理装置は、前記半導体製造装置を構成する部品の部品情報を記憶する部品情報記憶手段と、前記部品情報記憶手段を参照して、前記部品情報を抽出する抽出処理手段と、前記管理者端末に対し、前記部品情報を送信する部品情報送信手段と、を有する。
ここで、本発明における部品とは、半導体製造装置を構成するバルブやコントローラ、あるいは流体制御機器等であるが、半導体製造装置を構成するものである限り、その名称や構成単位は問わない。【０００８】
また、前記半導体製造装置には、所定の箇所にマーカーが取り付けられており、前記特定処理手段は、前記半導体製造装置の撮影画像について、前記マーカーの取付箇所を基準とした各部品の相対座標に基づき、前記半導体製造装置を構成する部品の位置を特定し、前記部品情報記憶手段は、部品情報としてさらに、前記マーカーの取付箇所を基準とした各部品の相対座標に係る情報を記憶するものとしてもよい。【０００９】
また、前記半導体製造装置には、４つ以上の部品に所定の識別標識が取り付けられており、前記特定処理手段は、前記半導体製造装置の撮影画像について、前記識別標識の取付箇所を基準とした各部品の相対座標に基づいて、前記半導体製造装置を構成する部品の位置を特定し、前記部品情報記憶手段は、部品情報としてさらに、前記識別標識の取付箇所を基準とした各部品の相対座標に係る情報を記憶するものとしてもよい。【００１０】
また、前記半導体製造装置と、ネットワークを介して通信可能に構成され、前記半導体製造装置は、
前記情報処理装置に対し、各部品の動作状況をセンシングして得られたセンシング情報を送信するセンシング情報送信手段、を有し、前記情報処理装置は、前記半導体製造装置から、前記センシング情報を受信するセンシング情報受信手段と、前記部品情報記憶手段を参照して、前記センシング情報を前記部品情報として登録する第一の登録手段と、をさらに有するものとしてもよい。【００１１】
また、前記管理者端末は、前記管理者から、前記合成画像において、所定の部品を指定した追加情報の入力を受け付ける入力手段と、前記情報処理装置に対し、前記所定の部品の指定と共に入力された追加情報を送信する追加情報送信手段と、をさらに有し、前記情報処理装置は、前記部品情報記憶手段を参照して、前記追加情報を前記部品情報として登録する第二の登録手段と、をさらに有するものとしてもよい。【００１２】
また、前記管理者端末は、前記管理者端末の移動に応じて移動量を検出し、当該移動量に応じて前記合成画像を制御する画像制御手段、をさらに有するものとしてもよい。【００１３】
また、前記管理者端末は、前記合成画像に基づいた前記管理者による作業を録画する録画手段、をさらに有するものとしてもよい。【００１４】
また、本発明の別の観点に係る半導体製造装置の管理方法は、集積された複数の部品によって構成された半導体製造装置を管理する方法であって、前記半導体製造装置を管理する管理者が使用する管理者端末と、前記半導体製造装置を構成する部品の部品情報を記憶する部品情報記憶手段を備えた情報処理装置と、がネットワークを介して通信可能に構成されたシステムにおいて、前記管理者端末が、前記半導体製造装置を撮影する撮影処理と、前記情報処理装置から、前記半導体製造装置の部品情報を受信する部品情報受信処理と、前記半導体製造装置の撮影画像について、前記半導体製造装置を構成する部品の位置を特定する特定処理と、前記半導体製造装置の撮影画像に対し、前記特定された部品の位置に、前記特定された部品の部品情報を合成させた合成画像を生成する合成処理と、前記合成画像を表示する画像表示処理と、を実行し、前記情報処理装置が、前記部品情報記憶手段を参照して、前記部品情報を抽出する抽出処理と、前記管理者端末に対し、前記部品情報を送信する部品情報送信処理と、を実行する。【００１５】
また、本発明のさらに別の観点に係るコンピュータプログラムは、集積された複数の部品によって構成された半導体製造装置を管理するためのコンピュータプログラムであって、前記半導体製造装置を管理する管理者が使用する管理者端末と、前記半導体製造装置を構成する部品の部品情報を記憶する部品情報記憶手段を備えた情報処理装置と、がネットワークを介して通信可能に構成されたシステムにおいて、前記管理者端末に対し、前記半導体製造装置を撮影する撮影処理と、前記情報処理装置から、前記半導体製造装置の部品情報を受信する部品情報受信処理と、前記半導体製造装置の撮影画像について、前記半導体製造装置を構成する部品の位置を特定する特定処理と、前記半導体製造装置の撮影画像に対し、前記特定された部品の位置に、前記特定された部品の部品情報を合成させた合成画像を生成する合成処理と、前記合成画像を表示する画像表示処理と、を実行させ、前記情報処理装置に対し、前記部品情報記憶手段を参照して、前記部品情報を抽出する抽出処理と、前記管理者端末に対し、前記部品情報を送信する部品情報送信処理と、を実行させる。
なお、コンピュータプログラムは、インターネット等のネットワークを介したダウンロードによって提供したり、読み取り可能な各種の記録媒体に記録して提供したりすることができる。
【発明の効果】
【００１６】
本発明によれば、複数の部品によって構成される半導体製造装置において、管理者は各部品を直感的に識別することができる。さらに、識別された部品の情報が管理者に対して分かりやすく提供される。
【図面の簡単な説明】
【００１７】
【図１】本発明の第一の実施形態に係る半導体製造装置の管理システムの機能を示した機能ブロック図である。
【図２】本実施形態に係る半導体製造装置の管理システムにおいて、管理される半導体製造装置のガス供給システムを示した外観斜視図である。
【図３】本実施形態に係る半導体製造装置の管理システムにおいて、部品情報記憶部に記憶されるデータの一例を示した図である。
【図４】本実施形態に係る半導体製造装置の管理システムによる処理の流れを示したシーケンス図である。
【図５】本実施形態に係る半導体製造装置の管理システムにおいて、管理者端末上に表示される画面の一例を示した図である。
【図６】本実施形態に係る半導体製造装置の管理システムにおいて、管理者端末上に表示される画面の一例を示した図である。
【図７】本実施形態に係る半導体製造装置の管理システムにおいて、管理者端末上に表示される画面の一例を示した図である。
【図８】本実施形態に係る半導体製造装置の管理システムによる処理の流れを示したシーケンス図である。
【図９】本実施形態に係る半導体製造装置の管理システムにおいて、管理者端末上に表示される画面の一例を示した図である。
【図１０】本実施形態に係る半導体製造装置の管理システムによる処理の流れを示した処理フロー図である。
【図１１】本実施形態に係る半導体製造装置の管理システムによる処理の流れを示したシーケンス図である。
【図１２】本発明の別の実施形態に係る半導体製造装置の管理システムにおいて、管理者端末上に表示される画面の一例を示した図である。
【図１３】本発明の別の実施形態に係る半導体製造装置の管理システムの機能を示した機能ブロック図である。
【発明を実施するための形態】
【００１８】
以下、本発明の実施形態に係る半導体製造装置の管理システムについて説明する。
図１に示されるように、本実施形態に係る半導体製造装置の管理システムは、半導体製造装置１、情報処理装置２、及び管理者端末３によって構成される。半導体製造装置１、情報処理装置２、及び管理者端末３はネットワークＮＷ１、２を介して通信可能に構成されており、情報の送受信が行えるようになっている。
【００１９】
なお、本例において、ネットワークＮＷ１は例えば、Bluetooth（登録商標）、赤外線通信、あるいはZigbee（登録商標）といった無線通信によって構成され、ネットワークＮＷ２は例えば無線LANによって構成される。ただし、他の実施例においては、各端末等の間を本例とは異なる方式で接続することも可能であり、例えば、全ての端末等の間を無線LANによって接続することもできる。
【００２０】
半導体製造装置１は図２に示されるように、複数の流体制御機器１ａが密に集積した装置であり、バルブやコントローラといった複数の部品によって構成されている。
この半導体製造装置１には、センサ１１と通信モジュール１ｂが組み込まれている。
【００２１】
センサ１１は、流体の流量や温度、流体制御機器１ａ内の所定の空間の圧力、流体制御機器１ａを構成する部品の位置などを検出する。このセンサ１１は通信モジュール１ｂと接続しており、センサ１１によるセンシングで得られたセンシング情報が通信モジュール１ｂに供給されるようになっている。
【００２２】
通信モジュール１ｂは、ネットワークを介して通信可能に構成された情報処理装置２とデータの送受信を実行するための通信処理部１２を備えている。この通信モジュール１ｂは、センサ１１からセンシング情報の供給を受けると、通信処理部１２により、ネットワークＮＷ１を介して当該センシング情報を情報処理装置２に送信する。
【００２３】
また、半導体製造装置１には、外部から視認可能な所定の箇所にマーカーＭが取り付けられている。マーカーＭは、ＡＲ（Augmented Reality：拡張現実）において、後述する合成画像を生成する際の位置合わせに用いられる指標である。このマーカーＭが管理者端末３によって識別されることにより、管理者端末３の位置や、マーカーＭを起点とした部品の相対位置の認識が可能となる。このようなマーカーＭは例えば、半導体製造装置１に固有の装置ＩＤをコード化したパターン画像によって構成される。
【００２４】
情報処理装置２は、半導体製造装置１を構成する部品の部品情報を管理者端末３に対して提供する装置である。
この情報処理装置２は、CPU（Central Processing Unit）、CPUが実行するコンピュータプログラム、コンピュータプログラムや所定のデータを記憶するRAM（Random Access Memory）やROM（Read Only Memory）、HDD（Hard Disk Drive）といったハードウェア資源によって構成され、部品情報記憶部２Ａ、抽出処理部２１、登録処理部２２、及び通信処理部２３からなる機能部を備える。
【００２５】
部品情報記憶部２Ａは、半導体製造装置１を構成する部品の部品情報を記憶する記憶部である。
この部品情報記憶部２Ａには例えば、図３に示されるように、半導体製造装置１を識別する装置IDごとに、半導体製造装置１を構成する部品の部品情報が記憶されている。部品情報には、部品を識別する部品ID、座標情報、警告情報、半導体製造装置１のセンサ１１によって得られたセンシング情報、管理者によって任意に入力された追加情報、に係る情報が含まれる。また、部品情報として、各部品ごとの情報のみならず、半導体製造装置１の組立方法やメンテナンス方法等のマニュアルや、半導体製造装置１の流路の構成図などの情報を併せて記憶してもよい。
【００２６】
座標情報は、マーカーＭの取付箇所を基準とした各部品の相対座標に係る情報であり、この座標情報により、半導体製造装置１における各部品の位置を特定することができる。
警告情報は、センシング情報に基づいた所定の閾値との比較による故障判定あるいは故障予知情報である。この警告情報が記憶されている場合には、管理者端末３上に合成画像が表示される際、合成画像上に当該警告情報を強制的に表示させるようにしてもよい。
センシング情報には、バルブの開閉回数や現在の開閉状態、温度などの情報が含まれる。
【００２７】
抽出処理部２１は、管理者端末３からの要求に応じて、部品情報記憶部２Ａを参照して部品情報を抽出する処理を実行する。
【００２８】
登録処理部２２は、部品情報記憶部２Ａを参照して、半導体製造装置１から受信したセンシング情報を部品情報として登録する。また、部品情報記憶部２Ａを参照して、管理者から受け付けた追加情報を部品情報として登録する。
【００２９】
通信処理部２３は、半導体製造装置１及び管理者端末３とネットワークＮＷ１、２を介したデータの送受信を実行する処理部である。
情報処理装置２はこの通信処理部２３により、管理者端末３に対して部品情報を送信したり、半導体製造装置１からセンシング情報を受信したりすることができる。
【００３０】
管理者端末３は、半導体製造装置１を管理する管理者が保持及び操作する端末であり、カメラ機能を備えたスマートデバイス等によって実現される。
なお、本例において、管理又は管理者の語は語義によって狭く解釈されるべきでなく、管理には半導体製造装置１の修理や組み立て等、半導体製造装置１を見ながら行われる作業が含まれ、管理者にはこれらの作業を行う作業者が含まれる。
【００３１】
この管理者端末３は、CPU、CPUが実行するコンピュータプログラム、コンピュータプログラムや所定のデータを記憶するRAMやROMなどのメモリといったハードウェア資源によって構成され、撮影部３１、特定処理部３２、合成処理部３３、画像表示部３４、画像制御部３５、入力処理部３６、及び通信処理部３７からなる機能部を備える。
【００３２】
撮影部３１は、半導体撮影装置１を被写体として撮影を実行する処理部である。この撮影部３１は、被写体像を撮像素子の受光面に結像させるレンズ、レンズにより結像した被写体像を撮像して画像信号を制御部に出力するCMOSイメージセンサ等の撮像素子、撮像素子から取得した画像信号から撮影画像を生成する制御部等によって構成される。
なお、この撮影部３１によって生成される撮影画像は、現実の半導体製造装置１のリアルタイム画像である。
【００３３】
特定処理部３２は、半導体製造装置１の撮影画像について、半導体製造装置１を構成する部品の位置を特定する処理を実行する。
この特定処理部３２は、半導体製造装置１の撮影画像においてマーカーＭを検出すると共に、当該マーカーＭの取付箇所を基準とした各部品の相対座標に基づき、半導体製造装置１を構成する部品の位置を特定する。マーカーＭの検出は例えば、所定のテーブルに保持したマーカーＭの識別画像に基づき、撮影画像中の識別画像を認識することによって可能となる。
【００３４】
合成処理部３３は、半導体製造装置１の撮影画像に対し、特定処理部３２によって特定された部品の位置に部品情報を合成させた合成画像を生成する処理を実行する。
【００３５】
画像表示部３４は、液晶パネル等のディスプレイによって構成され、ディスプレイ上に撮影画像や合成画像を表示する。
なお、合成画像は、画像表示部３４によってリアルタイム画像として管理者端末上に表示されるが、ここにいうリアルタイムは厳密な同時ではなく、合成処理部３３や画像制御部３５による処理等によって生じる撮影と表示のタイムラグが極めて微小であることから、撮影と表示を同時とみなしたものである。
【００３６】
画像制御部３５は、撮影部３１の移動に応じて移動量を検出すると共に、当該移動量に応じて合成画像を制御する処理を実行する。
この画像制御部３５は、加速度センサや角加速度センサなどのセンサを単一又は複数組み合わせたセンサと、当該センサによって検出された撮影部３１の移動量に応じて合成画像を整合させる機能部によって構成される。
具体的に、撮影部３１の移動量として、撮影部３１の移動距離や移動角度がセンサによって計測されると、当該計測された移動距離や移動角度に応じて撮影部３１の位置や角度が推定される。これに応じて、撮影部３１が移動した後の合成画像上の部品の位置が推定され、合成画像上の部品情報の表示位置の整合がとられる。
【００３７】
入力処理部３６は、タッチパネルやキーボード、ポインティングデバイス等によって構成される。管理者端末３はこの入力処理部３６により、管理者から、合成画像上で所定の部品を指定した追加情報の入力を受け付けることができる。
【００３８】
通信処理部３７は、ブラウザプログラム等によって構成され、情報処理装置２とネットワークＮＷ２を介したデータの送受信を実行する処理部である。
管理者端末３はこの通信処理部３７により、情報処理装置２から半導体製造装置１の部品情報を受信したり、管理者によって所定の部品の指定と共に入力された追加情報を情報処理装置２に送信したりすることができる。
【００３９】
次に、本実施形態に係る半導体製造装置の管理システムによる処理の流れについて説明する。
図４に示されるように、半導体製造装置１では常時あるいは所定のタイミングでセンサ１１によるセンシングが行われている（S101）。センシング情報は、通信モジュール１ｂの通信処理部１２によって情報処理装置２に送信され（S102）、部品情報記憶部２Ａに登録される（S103）。
【００４０】
管理者は、半導体製造装置１の管理を行うべく、撮影部３１によって撮影を開始する（S104）。そして、半導体製造装置１の装置IDを取得し（S105）、情報処理装置２に対して部品情報の取得要求と共に装置IDを送信する（S106）
なお、装置IDの取得は例えば、管理者端末３への直接入力や、装置IDをパターン画像としてコード化したマーカーＭを撮影し、これをデコードすること等で可能である。また、装置IDをパターン画像としてコード化したマーカーＭをデコードする場合、デコードは情報処理装置２で行うようにすることもできる。
【００４１】
これに応じて情報処理装置２は、抽出処理部２１によって部品情報記憶部２Ａを参照し、装置IDに基づいて部品情報を抽出する（S107）。抽出された部品情報は管理者端末３に対して送信される（S108）。
なお、ここで抽出される部品情報には、少なくとも各部品の座標情報が含まれる。
【００４２】
一方、管理者端末３は特定処理部３２により、半導体製造装置１の撮影画像について、半導体製造装置１を構成する部品の位置を特定する処理を実行する（S109）。この処理ではまず、半導体製造装置１の撮影画像においてマーカーＭが検出される。そして、部品情報に含まれる各部品の座標情報に基づき、当該マーカーＭの取付箇所を基準とした各部品の相対位置から各部品の位置が特定される。
【００４３】
部品の位置が特定されると、合成処理部３３は、半導体製造装置１の撮影画像に基づいて各部品の位置に部品情報を合成させた合成画像を生成する（S110）。合成画像は画像表示部３４により、管理者端末３上に表示される（S111）。
【００４４】
ここで、管理者端末３上に表示される画面例について説明する。
図５は、管理者端末３上に映し出された半導体製造装置１の撮影画像を示している。この撮影画像上には、半導体製造装置１の所定の箇所に取り付けられているマーカーＭが映し出されており、特定処理部３２によって当該マーカーＭが検出されている。
【００４５】
）
図６は、管理者端末３上に映し出された半導体製造装置１の合成画像を示している。この合成画像の例は、情報処理装置２から管理者端末３に警告情報が送信された場合を示しており、合成画像中、マーカーＭの取付箇所を基準として認識された所定の部品に警告情報（図中、「ALERT」と表示）が表示されている。
なお、図６の例では警告情報にリンクが設定されており、リンクを指定すると、図７に示されるように、警告情報の詳細が情報処理装置２から提供されて表示される。
【００４６】
次に、図８により、合成画像が表示された管理者端末３上から管理者によって所定の部品が指定され、当該指定された所定の部品の部品情報が表示される処理の流れを説明する。
まず、管理者端末３は、画像表示部３４によって表示された合成画像において、管理者から所定の部品の指定と共に、部品情報の取得要求を受け付ける（S201）。なお、部品情報の取得要求は例えば、部品が指定された際にメニュー表示を行い、当該メニュー表示中に示された部品情報の取得要求の項目の指定を受け付けることによって認識可能となる。
【００４７】
特定処理部３２は、合成画像中の座標に基づいて管理者が指定した位置を認識し、これにより管理者によって指定された部品として当該座標に表示されている部品を特定する（S202）。通信処理部３７は、情報処理装置２に対し、指定された部品の部品情報の取得要求を送信する（S203）。
【００４８】
これに応じて情報処理装置２は、抽出処理部２１により部品情報記憶部２Ａを参照し、指定された部品の部品情報を抽出すると（S204）、通信処理部２１により管理者端末３に対して当該部品情報を送信する（S205）。
【００４９】
管理者端末３では、受信した部品情報を表示する部品の位置が特定処理部３２によって特定されると（S206）、合成処理部３３により、特定された位置に部品情報を合成させた合成画像が生成される（S207）。生成された合成画像は、画像表示部３４によって管理者端末３上に表示され（S208）、これにより管理者は、自らが指定した部品の情報を参照することができる。
【００５０】
ここで、管理者が所定の部品を指定して部品情報を参照する場合に、管理者端末３上に表示される画面例について説明する。
図９は、管理者端末３上に映し出された半導体製造装置１の合成画像を示している。この合成画像の例では、管理者が指定した部品の部品情報が、当該指定された部品が識別できる態様によって表示されている。即ち、この例では、指定された部品に対する吹き出し表示によって、複数の部品の中から指定された部品が識別できるようになっている。
なお、合成画像中で、管理者によって指定された部品等を識別可能とする方法は、上述の吹き出し表示に限らず、指定された部品に対する色付け表示など、各種の態様によることができる。
【００５１】
次に、図１０により、管理者端末３の移動に応じて合成画像を制御する処理について説明する。
まず、管理者端末３では合成画像が表示されている間、画像制御部３５が常時、撮影部３１の移動量を検出している（S301）。
【００５２】
撮影部３１の移動量が検出されると、検出された撮影部３１の移動量に応じて合成画像の整合がとられる（S302）。即ち、撮影部３１の移動量として、撮影部３１の移動距離や移動角度が計測されると、当該計測された移動距離や移動角度に応じて撮影部３１の位置や角度が推定される。これに応じて、撮影部３１が移動した後の合成画像上の部品の位置が推定され、合成画像上の部品情報の表示位置の整合がとられる。
【００５３】
この合成画像の画像制御は、少なくとも合成画像が表示されている間、常時実行される。これによりマーカーＭに基づいて部品の位置が特定された後は、管理者端末３上で部品の位置の整合がとられて的確な合成画像を維持できるので、応答速度を向上させ、自然な部品情報の表示を行うことができる。半導体製造装置１そのものは基本的に動かされないため、管理者端末３の相対位置の変化を追い続けることで、合成画像中のどこに目的の部品が映っているかを正確に推定することができる。
【００５４】
次に、図１１により、管理者によって、所定の部品に対する追加情報の登録要求が行われた場合の処理の流れを説明する。
管理者端末３は、画像表示部３４によって表示された合成画像において、管理者から所定の部品の指定と共に当該所定の部品に対する追加情報の登録要求を受け付ける（S401）。なお、追加情報の登録要求は例えば、部品が指定された際にメニュー表示を行い、当該メニュー表示中に示された追加情報の登録要求の項目の指定を受け付けることによって認識可能となる。
【００５５】
特定処理部３２は、合成画像中の座標に基づいて管理者が指定した位置を認識し、これにより管理者によって指定された部品として当該座標に表示されている部品を特定する（S402）。同時に入力処理部３６は、管理者端末３上に追加情報の入力欄を設けるなどして管理者から追加情報の入力を受け付ける（S403）。通信処理部３７は、情報処理装置２に対し、指定された部品に対する追加情報の登録要求を送信する（S404）。
【００５６】
これに応じて情報処理装置２は、登録処理部２２により、部品情報記憶部２Ａを参照して指定された部品の部品情報として登録要求に係る追加情報を登録する（S405）。
これにより、有用な情報が追加され、半導体製造装置１の作業や管理にあたる複数の管理者等で蓄積された情報を活用することができる。また、半導体製造装置１の部品が分かりやすく表示された管理者端末３上から追加情報の入力作業を行うことができるので、追加情報を入力する部品を間違えたりすることもない。
【００５７】
以上の本実施形態に係る半導体製造装置の管理システムによれば、複数の部品によって構成される半導体製造装置１において、管理者は各部品を直感的に識別することができるため、迅速且つ正確に作業を行うことができる。特に、本例の半導体製造装置１のような集積型ガスユニットは自動弁が多く、自動弁を動かす駆動圧を供給するエアチューブなどがバルブ上部に多数設置されていることから、個々のバルブの上面にマーカーＭを取り付けても認識が難しいし、流体制御機器１ａは半導体製造装置１の中に組み込まれるため、メンテナンスの際にその内部の全ての流体制御機器１ａに対して十分な光量を得られるとは限らない。そのため、確実に視認可能な箇所にマーカーＭを取り付け、マーカーＭを基準とした相対座標から部品の位置を特定することで、各部品を確実に識別することができる。
また、不具合が起きた時だけなど、確認する頻度が小さい情報の場合、そのためだけに個々のバルブに液晶等の表示機能を持たせるよりもコストや機器サイズの面で有利である。
また、合成画像により、流路構造などの半導体製造装置１内の構造図を表示することで、実際にカバー等を外したりしなくとも、半導体製造装置の構造を理解しやすくなる。
【００５８】
続いて、本実施形態に係る半導体製造装置の管理システムにおいて、部品を特定する処理の他の例を説明する。
この例では、図１２に示されるように、半導体製造装置１の各部品に所定の識別標識Ｓが取り付けられている。そして、管理者端末３の特定処理部３２は、半導体製造装置１の撮影画像において、各識別標識Ｓを認識することによって各部品の位置を特定することができる。図９の例のように、単一のマーカーＭからの相対座標で部品の位置を特定しようとする場合、マーカーＭの取付精度やカメラからの画像認識の際の誤差により、認識された座標に角度方向の誤差が発生し、マーカーＭから離れた場所で位置精度が低くなる場合がある。そこで、複数の離間した識別標識Ｓを元に各部品の座標の認識を行うことで、各識別標識Ｓの取付精度や画像認識の誤差の影響を抑えることができる。
特に、識別標識Ｓが４つ以上である場合、ｘ軸とｙ軸及び各軸のプラス方向とマイナス方向が観念されるため、複数の識別標識Ｓが映った撮影画像内で各識別標識Ｓの座標のみから各部品の位置を特定することができ、各識別標識Ｓの取付角度誤差による影響を打ち消して精度の高い位置特定をすることができる。
【００５９】
識別標識Ｓは、半導体製造装置１に固有の装置ＩＤと、識別標識Ｓごとに固有のIDをコード化したパターン画像によって構成することができる。
また、部品情報記憶部２Ａにおいては、部品情報として識別標識Ｓごとに固有のＩＤを記憶すると共に、当該識別標識ＳのＩＤに関連付けて他の部品情報を記憶する。これにより、識別標識Ｓに応じた部品情報の抽出、及び管理者端末３への提供が可能となる。
【００６０】
なお、以上の本実施形態に係る半導体製造装置の管理システムにおいては、半導体製造装置１の撮影と合成画像の表示とを管理者端末３によって実行したが、他の例では、それぞれの処理を別々の端末又は装置に担わせることができる。
図１３は、半導体製造装置１の撮影と合成画像の表示を別々の端末又は装置によって実行させる場合の装置構成の一例を示している。
この例では、上述した管理者端末３が備えた機能のうち、撮影と画像表示の機能を夫々、撮影装置５と画像表示装置６に分散させ、残る機能を管理者端末４が備える。
なお、図１３において、撮影装置５及び画像表示装置６が備える機能部のうち、上述した管理者端末３が備えた機能部と同様の機能部については同じ符号を付している。
【００６１】
撮影装置５は、撮影機能を担う装置であり、例えば、半導体製造装置１を撮影する定点カメラ等によって構成することができる。
この撮影装置５は、撮影部３１と通信処理部５１とを有する。通信処理部５１は管理者端末４とデータの送受信を実行する機能部であり、Bluetooth（登録商標）や赤外線通信、あるいはＬＡＮ等で構成されるネットワークＮＷ３を介して管理者端末４と接続している。
【００６２】
画像表示装置６は、合成画像を表示する装置であり、例えば、液晶モニタやプロジェクタ等によって構成することができる。
この画像表示装置６は、画像表示部３４と通信処理部６１とを有する。通信処理部６１は通信処理部５１と同様、管理者端末４とデータの送受信を実行する機能部であり、Bluetooth（登録商標）や赤外線通信、あるいはＬＡＮ等で構成されるネットワークＮＷ４を介して管理者端末４と接続している。
【００６３】
管理者端末４は、撮影部３１と画像表示部３４を夫々、撮影装置５と画像表示装置６に持たせている点、及び、通信処理部４１が情報処理装置２とのデータの送受信の機能のほかに、撮影装置５及び画像表示装置６とのデータの送受信の機能も併せ持つ点以外は、上述した管理者端末３と同様の機能部を備えている。
【００６４】
このような実施例によれば、撮影装置５を定点に設置し、管理者が管理作業に集中するような場合に好適である。また、画像表示装置６をプロジェクタで構成して合成画像を大きく表示すれば、複数の管理者で確認するといったときに好適である。
【００６５】
なお、このような例に限らず、撮影装置５のみを管理者端末４とは別体とし、画像表示部３４の機能は管理者端末４側に備えさせるようにすることもできるし、逆に画像表示装置６のみを管理者端末４とは別体とし、撮影部３１の機能は管理者端末４側に備えさせるようにすることもできる。
【００６６】
また、以上の本実施形態においては、合成処理部３３によって合成画像を生成し、当該合成画像を液晶ディスプレイ等によって実現される画像表示部３４によって表示したが、別の実施例においては、画像表示部３４を所謂スマートグラス（ヘッドマウントディスプレイ方式のウェアラブル端末の一つで、レンズ形状の透過型ディスプレイに映像を投影するもの）やプロジェクションマッピング等で実現することもできる。
この場合には、撮影画像と部品情報を合成するのではなく、スマートグラスの透過型ディスプレイや、プロジェクションマッピングにおいて映像を投影する半導体製造装置１そのものに部品情報を投影させる。即ち、上述した通り、マーカーＭを基準とした座標位置によって各部品の位置が特定されるため、透過型ディスレイや半導体製造装置に対し、座標情報によって特定される位置に部品情報を投影させることで、上述した本実施形態と同様、所定の部品の対する部品情報を直感的に把握することができる。
【００６７】
また、以上の本実施形態において、管理者端末３または管理者端末４に動画の保存機能を備えさせ、管理者が作業を行いながら、当該作業を動画として撮影できるようにすることもできる。
これにより、メンテナンス作業等が正しく行われていたことを後から証明することができる。
【符号の説明】
【００６８】
１            半導体製造装置
１ａ        流体制御機器
１１      センサ
１ｂ        通信モジュール
１２      通信処理部
２            情報処理装置
２Ａ        部品情報記憶部
２１        抽出処理部
２２        登録処理部
２３        通信処理部
３            管理者端末
３１        撮影部
３２        特定処理部
３３        合成処理部
３４        画像表示部
３５        画像制御部
３６        入力処理部
３７        通信処理部
４            管理者端末
４１        通信処理部
５            撮影装置
５１        通信処理部
６            画像表示装置
６１        通信処理部
ＮＷ１、ＮＷ２、ＮＷ３、ＮＷ４      ネットワーク
【図１】
2018221198.tif 000003
【図２】
2018221198.tif 000004
【図３】
2018221198.tif 000005
【図４】
2018221198.tif 000006
【図５】
2018221198.tif 000007
【図６】
2018221198.tif 000008
【図７】
2018221198.tif 000009
【図８】
2018221198.tif 000010
【図９】
2018221198.tif 000011
【図１０】
2018221198.tif 000012
【図１１】
2018221198.tif 000013
【図１２】
2018221198.tif 000014
【図１３】
2018221198.tif 000015
【国際調査報告】
2018221198.tif 000016
2018221198.tif 000017
2018221198.tif 000018